(57)【要約】【課題】  テレビドアホン子機のカメラの存在を来訪者が認識できないようにするとともに、来訪者に悟られることなく子機のカメラを上下方向および左右方向に動作させることのできる、テレビドアホン子機およびそれを用いたテレビドアホン装置を提供する。【解決手段】  テレビドアホン子機１は、ＣＣＤカメラ１２と、前面カバー１１と、ＬＥＤ１３と、遮光板２１とを備える。ＣＣＤカメラ１２は、遠隔操作で上下方向および左右方向に撮影方向を移動可能である。前面カバー１１は、前方から見てＣＣＤカメラ１２の前面全体を覆い、ハーフミラー機能を有する。前面カバー１１は、ＣＣＤカメラ１２の各移動位置において、ＣＣＤカメラ１２の撮像軸方向に対して直交するように延在している。前面カバー１１は、曲面を有している。照明手段１３は、撮影対象を照射する。遮光版２１は、ＬＥＤ１３からの光がテレビドアホン子機１の内部へ漏洩することを防止する。【選択図】        図１
2007043627.tif 000002
【特許請求の範囲】
【請求項１】
遠隔操作で上下方向および左右方向に撮影方向を移動可能なＣＣＤカメラと、
前方から見て前記ＣＣＤカメラの前面全体を覆う、ハーフミラー機能を有する前面カバーとを備える、テレビドアホン子機。
【請求項２】
前記前面カバーは、前記ＣＣＤカメラの各移動位置において、前記ＣＣＤカメラの撮像軸方向に対して直交するように延在している、請求項１に記載のテレビドアホン子機。
【請求項３】
撮影対象を照射するための照明手段と、
前記照明手段からの光が前記テレビドアホン子機の内部へ漏洩することを防止する遮光手段とをさらに備える、請求項１または２に記載のテレビドアホン子機。
【請求項４】
前記前面カバーが、プラスチックおよびアクリルの少なくとも一方を含む素材の表面に金属を塗布するものである、請求項１〜３のいずれか１項に記載のテレビドアホン子機。
【請求項５】
前記前面カバーは、曲面を有している、請求項１〜４のいずれか１項に記載のテレビドアホン子機。
【請求項６】
請求項１〜５のいずれか１項に記載のテレビドアホン子機と、
前記ＣＣＤカメラにより撮影された映像を映すためのモニタ画面および前記ＣＣＤカメラの移動を駆動制御する手段を有するテレビドアホン親機とを備える、テレビドアホン装置。
【発明の詳細な説明】
【技術分野】
【０００１】
本発明は、テレビドアホン子機およびそれを用いたテレビドアホン装置に関し、たとえば、屋内の住人と屋外の来訪者との間で通話でき、屋外に設置した子機カメラの映像を確認するためのテレビモニタ付インターホン装置（以下、テレビドアホンという）において、親機から遠隔で子機カメラの撮影方向を上下左右に操作できる(以下、パンチルトタイプという)テレビドアホンの子機の改良に関するものである。
【背景技術】
【０００２】
従来、パンチルトタイプのテレビドアホンは、たとえば、屋内に設置するテレビモニタ付の親機と、玄関先などの屋外に設置する上下左右に動作可能なカメラ付の子機とから構成されている。親機および子機は、両者間で通話できるインターホン機能を有し、子機カメラで撮影している映像を親機でモニタできる機能を有している。
【０００３】
このような構成のパンチルトタイプのテレビドアホン子機は、カメラの前面に透明のカバーを備えており、カメラを保護するようになっている。カメラの保護として、ハーフミラー機能を備えたものがある。ハーフミラー機能を備えたテレビドアホン子機として、たとえば、実開昭６３−１３８７８８号公報（特許文献１）には、テレビカメラ前面に屋外側から見たとき鏡面となるようなハーフミラーを設けたテレビドアホン装置が開示されている。また、実開平５−４１２７３号公報（特許文献２）には、来訪者が撮像方向を簡単かつ正確に調整できるように、撮像カメラの前方に撮像軸に直交するマジックミラー面を設けたカメラ付ドアホン子機が開示されている。また、実開平５−７００５２号公報（特許文献３）には、留守中の来訪者を写真撮影して記録するインスタントカメラを備え、ケースの上部材にインスタントカメラによる撮影のための切欠き窓を設け、当該切欠き窓には、外側から内部を見えないようにするためのハーフミラーが装着された来訪者記録装置が開示されている。また、特開平１１−１７７９７１号公報（特許文献４）には、カメラの前面に設けられたフィルタにハーフミラー機能を備えることにより、来訪者に子機のカメラと自身の関係位置を明確に認識させるテレビドアホン子機が開示されている。
【特許文献１】実開昭６３−１３８７８８号公報
【特許文献２】実開平５−４１２７３号公報
【特許文献３】実開平５−７００５２号公報
【特許文献４】特開平１１−１７７９７１号公報
【発明の開示】
【発明が解決しようとする課題】
【０００４】
しかしながら、上記特許文献１，３および４では、パンチルトタイプではないために、来訪者の顔を確認したいという場合に、子機カメラの撮影位置調整が行なえないという問題がある。
【０００５】
また、上記特許文献２でのカメラドアホン子機では、来訪者からカメラが見えるために、在宅していることを知られたくない場合でも来訪者に撮影用のカメラが存在することを知られてしまうという問題がある。
【０００６】
それゆえ本発明の目的は、テレビドアホン子機のカメラの存在を来訪者が認識できないようにするとともに、来訪者に悟られることなく子機のカメラを上下方向および左右方向に動作させることのできる、テレビドアホン子機およびそれを用いたテレビドアホン装置を提供することである。
【課題を解決するための手段】
【０００７】
本発明にしたがったテレビドアホン子機は、遠隔操作で上下方向および左右方向に撮影方向を移動可能なＣＣＤカメラと、前方から見てＣＣＤカメラの前面全体を覆う、ハーフミラー機能を有する前面カバーとを備えている。
【０００８】
本発明のテレビドアホン子機によれば、テレビドアホン子機のＣＣＤカメラの全体を前面カバーが覆っているため、テレビドアホン子機カメラが外部から目視できない。そのため、来訪者がＣＣＤカメラの存在を認識することができない。よって、在宅していることを来訪者に悟られることがない。
【０００９】
また、ＣＣＤカメラは遠隔操作で上下方向および左右方向に移動できるため、来訪者の顔などが認識できるようにＣＣＤカメラを移動することができる。そのため、在宅していることを来訪者に悟られることなく、ＣＣＤカメラの撮影方向を所望の方向に動かすことができる。よって、ＣＣＤカメラによる来訪者の顔等の撮影が可能となり、来訪者を確認することができる。
【００１０】
さらに、テレビドアホン子機のＣＣＤカメラの前方に、ＣＣＤカメラの前面全体を覆う、ハーフミラー機能を有する前面カバーを備えているため、来訪者は自身の容姿を確認することが出来る。
【００１１】
なお、上記「ハーフミラー」とは、一般に、ガラスの表面に金属の薄膜を塗布することにより、入射する光の約半分を反射し、残りの約半分を透過する性質を有するものを意味する。また、ここで上記「ハーフミラー機能」とは、ハーフミラーを挟んで一方が明るく、他方が暗い場合に、暗い方からは明るい方が透過して見える透明板として、明るい方からは自分自身が見える鏡として作用する機能を言う。
【００１２】
上記テレビドアホン子機において好ましくは、前面カバーは、ＣＣＤカメラの各移動位置において、ＣＣＤカメラの撮像軸方向、すなわち、ＣＣＤカメラのレンズの光軸方向に対して直交する方向に延在している。
【００１３】
ＣＣＤカメラの撮像軸方向に対して直交するように前面カバーが延在していることにより、来訪者が自身の顔を前面カバーで確認できる範囲で、どのような位置に立った場合にも、ＣＣＤカメラを移動させて、撮像軸が来訪者の顔の位置の方向を向くように調整することができ、正確に来訪者の顔を撮影することができる。
【００１４】
上記テレビドアホン子機において好ましくは、撮影対象を照射するための照明手段と、照明手段からの光がテレビドアホン子機の内部へ漏洩することを防止する遮光手段とをさらに備える。
【００１５】
これにより、テレビドアホン子機の内部が外部より明るくなることを防ぎ、ハーフミラー機能を有する前面カバーの反射面が入れ替わらないようにすることができる。そのため、夜間においても、外部からＣＣＤカメラが見えないことから、ＣＣＤカメラを動作させたとしても、在宅していることを来訪者に悟られずに、来訪者の顔等を認識できる。
【００１６】
上記テレビドアホン子機において好ましくは、前面カバーは、プラスチックおよびアクリル少なくとも一方を含む素材の表面に金属を塗布することにより、構成されている。
【００１７】
これにより、前面カバーがＣＣＤカメラを外部から見えなくする機能をも有することにより、ＣＣＤカメラを覆い隠すための別の部材を必要としないため、生産工程において作業工程が増えることがない。また、テレビドアホン子機を屋外に設置する場合にあっても、上記素材を用いることにより、比較的安全に使用することができる。
【００１８】
上記テレビドアホン子機において好ましくは、前面カバーは、曲面を有している。これにより、ＣＣＤカメラが上下方向あるいは左右方向に動作しても、前面カバーから反射光をＣＣＤカメラに入り難くすることができる。
【００１９】
本発明のテレビドアホン装置は、上記テレビドアホン子機と、ＣＣＤカメラにより撮影された映像を映すためのモニタ画面およびＣＣＤカメラの移動を駆動制御する手段を有するテレビドアホン親機とを備えている。
【００２０】
駆動制御する手段により、テレビドアホン子機のＣＣＤカメラを来訪者に悟られることなく、ＣＣＤカメラを上下方向および左右方向に動作させることができる。そのため、モニタ画面において来訪者を認識することができる。
【発明の効果】
【００２１】
このように、本発明によれば、テレビドアホン子機のＣＣＤカメラを来訪者が認識できないとともに、来訪者に悟られることなくＣＣＤカメラを上下方向および左右方向に動作させることができる。
【発明を実施するための最良の形態】
【００２２】
以下、図面に基づいて本発明の実施の形態を説明する。なお、以下の図面において同一または相当する部分には同一の参照符号を付し、その説明は繰り返さない。
【００２３】
図１は、本発明の実施の形態におけるテレビドアホン子機を示す概略断面図である。図２は、本発明の実施の形態における構成を説明するためのテレビドアホン子機の正面図である。図３は、本発明の実施の形態におけるテレビドアホン子機の前ケースを内面から見た概略平面図である。図４は、本発明の実施の形態におけるテレビドアホン子機内部の概略正面図である。図１〜４を参照して、本発明の実施の形態におけるテレビドアホン子機を説明する。本発明の実施の形態におけるテレビドアホン子機１は、たとえば、パンチルトタイプのテレビドアホン用の子機としている。
【００２４】
本発明の実施の形態におけるテレビドアホン子機１は、図１に示すように、たとえば、外郭として前ケース２と後ケース３とを備え、その内部にマイク１０と、ＣＣＤカメラ１２と、ＬＥＤ１３と、モータユニット１４と、スピーカ１５とを備えている。前ケース２は、ハーフミラー機能を有する前面カバー１１と、遮光板２１と、呼出ボタン１６とを含む。ＣＣＤカメラ１２は、遠隔操作で上下方向および左右方向に移動でき、撮影可能としている。前面カバー１１は、前方から見てＣＣＤカメラ１２の前面全体を覆っている。そのため、屋外に設置してもＣＣＤカメラ１２が外部から見えないため、盗用の防止などができ、比較的安全に使用できる。
【００２５】
詳細には、前面カバー１１は、図１に示すように、その表面が曲面を有し、前方から見てＣＣＤカメラ１２の前面全体を覆っている。また、前面カバー１１は、ＣＣＤカメラ１２の撮影方向が変わっても、撮像軸に直交するように、曲面をなして延在している。
【００２６】
前面カバー１１の表面は、たとえばプラスチック製またはアクリル製のものとし、内側に金属を付着させている。これにより、前面カバー１１の表面は鏡面となるとともに、外部からはＣＣＤカメラ１２が見えないようになっている。また、当該素材の前面カバー１１を屋外に設置する場合には、ガラスなどの素材を用いる場合と比較して安全に使用することができる。
【００２７】
ＣＣＤカメラ１２は、前ケース２において上方に装着されている。そのため、前面カバー１１は、前ケースの上方に装着されている。
【００２８】
ＬＥＤ１３は、夜間等の暗い環境下においてもＣＣＤカメラ１２による撮影を可能にするための照明手段である。モータユニット１４は、後述するパンチルト動作軸を動作させるものである。
【００２９】
マイク１０は、テレビドアホン子機１の内部において上方に配置されている。このマイク１０と、テレビドアホン親機（図示せず）からの音声を外部に聞こえるようにするスピーカ１０とにより、テレビドアホン親機との間での対話を可能にする。スピーカ１５は、外部に音声を伝えるものである。マイク１０およびスピーカ１５は、リード線１０ａ，１５ａにより、プリント基板２３と接続されている。呼出ボタン１６は、前ケース２の下方に装着されている。呼出ボタン１６は、スピーカ１５と接続されている。
【００３０】
前ケース２は、図２に示すように、さらにマイク穴１７と、拡散板１８と、スピーカ穴１９とを有している。マイク穴１７は外部からの音声をマイク１０が拾いやすくするための穴である。拡散板１８は、透明なプラスチック板の片面に凹凸を有したすりガラスのようなものである。また、拡散板１８は、ＬＥＤ１３の前方に設置され、ＬＥＤ１３からの光を拡散することができる。スピーカ穴１９は、スピーカ１５からの音声を外部へ伝えやすくするための穴である。
【００３１】
遮光板２１は、図３に示すように、平面形状が矩形の筒状であり、拡散板１８を囲むように前ケース２に配置されている。遮光板２１は、ＬＥＤ１３からの光がテレビドアホン子機１の内部へ漏洩することを防止する遮光手段である。
【００３２】
ＣＣＤカメラ１２は、図４に示すように、パンチルト動作軸２２に設置されている。パンチルト動作軸２２がモータユニット１４により動作することにより、ＣＣＤカメラ１２が上下方向または左右方向に動作する構造としている。ＬＥＤ１３は、ＬＥＤ基板２０に設置されている。前ケース２の遮光板２１がＬＥＤ基板２０を囲み込み、ＬＥＤ１３から発生する光が、ＬＥＤ１３の背面側および側面側からテレビドアホン子機１の内部に漏れない構造としている。
【００３３】
なお、図示されていないが、テレビドアホン親機には、テレビドアホン子機１からの映像を映すためのモニタ画面と、テレビドアホン親機から通話するときに操作する通話ボタンおよびモニタボタンと、それらの駆動制御をする電子回路等が設けられている。
【００３４】
図５は本発明の実施の形態におけるテレビドアホン子機の動作を説明するための正面図である。図５を参照して、本発明の実施の形態におけるテレビドアホン子機１の動作について説明する。
【００３５】
来訪者が呼出ボタン１６を押すと、テレビドアホン親機には、テレビドアホン子機１のＣＣＤカメラ１２が撮影している内容が映し出される。その撮影内容から、来訪者が認識できない場合には、ＣＣＤカメラ１２を上下方向または左右方向に移動させる。そして、正確に来訪者の顔等を確認できる位置にカメラの向きを変えることにより、来訪者を認識することができる。
【００３６】
その際、前面カバー１１は、前方から見たときにＣＣＤカメラ１２の前面全体を覆っているので、来訪者はＣＣＤカメラ１２により撮影されていることを知り得ない。そのため、来訪者に在宅していることを悟られることなく、来訪者が誰であるかを認識できる。
【００３７】
また、前面カバー１１は、テレビドアホン子機１の内部よりも明るい外部から見ると鏡として機能する。そのため、来訪者が自身の容姿を確認することができる。また、来訪者が前面カバー１１によって自身の容姿を確認しようとして前面カバー１１に近づくと、ＣＣＤカメラ１２の撮影視野内に入るため、ＣＣＤカメラ１２により来訪者の顔等の撮影が容易となる。
【００３８】
周囲が暗い環境下の夜間等においては、照明の役割をするＬＥＤ１３からの光により、撮影対象としての来訪者等が照らされ、それによりＣＣＤカメラ１２によって明瞭に撮影することができる。その際、ＬＥＤ１３からの光をテレビドアホン子機１の内部に漏らさない構造になっているので、常にテレビドアホン子機１の内部は、外部より暗くなる。そのため、前面カバー１１の反射面が反転することはなく、夜間等においても同様に、来訪者に在宅していることを悟られることなく、来訪者が誰であるかを認識できる。
【００３９】
以上説明したように、本発明の実施の形態におけるテレビドアホン子機１によれば、遠隔操作で上下方向および左右方向に撮影方向を移動可能なＣＣＤカメラ１２と、前方から見てＣＣＤカメラ１２の前面全体を覆う、ハーフミラー機能を有する前面カバー１１とを備えている。そのため、来訪者がＣＣＤカメラ１２の存在を確認することができない。よって、在宅していることを来訪者に悟られることがない。
【００４０】
また、ＣＣＤカメラ１２は遠隔操作で上下方向および左右方向に移動できるため、来訪者の顔などが認識できるようにＣＣＤカメラ１２を移動することができる。そのため、在宅していることを来訪者に悟られることなく、ＣＣＤカメラ１２で撮影する方向を所望の方向に動かすことができる。
【００４１】
さらに、前面カバー１１はＣＣＤカメラ１２を覆う前ケース２に直接付着させている。そのため、生産工程において作業工程が増えることがない。また、従来はケース内部を見えなくするための部品が必要であったが、テレビドアホン子機１では前面カバー１１により前ケース２の内部が見えることはない。そのため、当該部品は不要となり、費用の削減を図ることができる。
【００４２】
今回開示された実施の形態はすべての点で例示であって制限的なものではないと考えられるべきである。本発明の範囲は上記した実施の形態ではなくて特許請求の範囲によって示され、特許請求の範囲と均等な意味および範囲内でのすべての変更点が含まれることが意図される。
【図面の簡単な説明】
【００４３】
【図１】本発明の実施の形態におけるテレビドアホン子機を示す概略断面図である。
【図２】本発明の実施の形態におけるテレビドアホン子機の構成を説明するための正面図である。
【図３】本発明の実施の形態におけるテレビドアホン子機の前ケースを内面から見た概略平面図である。
【図４】本発明の実施の形態におけるテレビドアホン子機内部の概略正面図である。
【図５】本発明の実施の形態におけるテレビドアホン子機の動作を説明するための正面図である。
【符号の説明】
【００４４】
１  テレビドアホン子機、２  前ケース、３  後ケース、１０  マイク、１０ａ，１５ａ  リード線、１１  前面カバー、１２  カメラ、１３  ＬＥＤ、１４  モータユニット、１５  スピーカ、１６  呼出ボタン、１７  マイク穴、１８  拡散板、１９  スピーカ穴、２０  ＬＥＤ基板、２１  遮光板、２２  パンチルト動作軸、２３  プリント基板。
【図１】
2007043627.tif 000003
【図２】
2007043627.tif 000004
【図３】
2007043627.tif 000005
【図４】
2007043627.tif 000006
【図５】
2007043627.tif 000007